(57)【要約】【課題】配管の設置の自由度が高いながらも、土地面積、建設の工期、コストを低減できる液処理プラントを提供する。【解決手段】被処理液に対して規定の処理を施すための複数の処理設備１２と、液処理プラント１０は、土台１９と、前記土台１９から鉛直方向に延びる複数の柱部材２０と、水平方向に延びる複数の梁部材２２と、で構成される架台１４と、を備え、前記複数の処理設備１２は、前記架台１４の複数の階層に、分散して配置され、前記架台１４の最上階は、屋根を有さない。【選択図】図２
2018044347.tif 000002
【特許請求の範囲】
【請求項１】
被処理液に対して規定の処理を施すための複数の処理設備と、
土台と、前記土台から鉛直方向に延びる複数の柱部材と、水平方向に延びる複数の梁部材と、で二階以上の階層を構成する架台と、
を備え、
前記複数の処理設備は、前記架台の複数の階層に、分散して配置され、
前記架台の最上階は、屋根がない部分を有する、
ことを特徴とする液処理プラント。
【請求項２】
請求項１に記載の液処理プラントであって、
二階以上の階層に配される処理設備は、前記梁部材、または、前記梁部材に連結された板材に設置される、ことを特徴とする液処理プラント。
【請求項３】
請求項１または２に記載の液処理プラントであって、
前記架台は、前記梁部材の上に設置される網材を備える、ことを特徴とする液処理プラント。
【請求項４】
請求項１から３のいずれか１項に記載の液処理プラントであって、
前記架台のうち、少なくとも２階以上の階層の外周は、柵で囲まれている、ことを特徴とする液処理プラント。
【請求項５】
請求項１から４のいずれか１項に記載の液処理プラントであって、さらに、
最上階に設けられ、物品を吊り上げるクレーンと、前記クレーンの移動をガイドするホイストレールと、を有するホイストクレーンと、
各階層ごとに設けられ、前記クレーンとの間で物品を授受するためのスペースである吊り上げ場と、
を備え、
前記各階層ごとの吊り上げ場は、その水平位置が前記ホイストレールの方向に順番にズレている、
ことを特徴とする液処理プラント。
【請求項６】
請求項１から５のいずれか１項に記載の液処理プラントであって、さらに、
前記架台の１階において、予め規定された防液エリアを取り囲むように設けられ、前記防液エリアの外部への液体の漏出を防止する防液堤と、
前記架台の二階の梁部材の下側のうち前記防液エリアの外側となる位置に設けられ、上側から滴下した液体を一時貯留するドレンパンと、
を備えることを特徴とする液処理プラント。
【請求項７】
土台と、前記土台から鉛直方向に延びる複数の柱部材と、水平方向に延びる複数の梁部材と、で二階以上の階層を構成する架台を建設するステップと、
被処理液に対して規定の処理を施すための複数の処理設備を、前記架台の各階層に分散して据え付けるステップと、
を備え、
前記架台の一つの階層を建設した後、当該一つの階層より上層の階層を建設する前に、当該一つの階層に対応する処理設備を据え付ける、
ことを特徴とする液処理プラントの製造方法。
【請求項８】
請求項７に記載の液処理プラントの製造方法であって、
前記架台の複数の階層のうち、少なくとも一つの階層の階高は、当該一つの階層より上層階の階高よりも大きい、ことを特徴とする液処理プラントの製造方法。
【請求項９】
請求項７または８に記載の液処理プラントの製造方法であって、
前記架台の１階を建設するステップは、予め規定された防液エリアを取り囲んで前記防液エリアの外部への液体の漏出を防止する防液堤の形成ステップを含み、
前記処理設備のうち薬品に関する処理設備である薬品設備は、前記防液堤内に据え付ける、
ことを特徴とする液処理プラントの製造方法。
【発明の詳細な説明】
【技術分野】
【０００１】
本発明は、被処理液に対して規定の処理を施す処理設備を複数備えた液処理プラント、および、その製造方法に関する。
【背景技術】
【０００２】
従来から、被処理液に対して種々の処理を施す液処理プラントが広く知られている。例えば、都市に飲料用水を供給する上水処理プラントや、都市下水を処理する下水処理プラント、産業排水を受け入れて処理する排水処理プラント、純水・超純水製造プラント、回収プラント等の液処理プラントが知られている。かかる液処理プラントにおいて被処理液は、貯留、沈殿、曝気、ろ過、膜処理、微生物による生物処理、消毒等、複数の工程を経て出力される。そのため、液処理プラントには、各工程を行うための処理設備が複数設けられている。また、多量の被処理液を処理する大型の液処理プラントでは、各処理設備も大型となるため、その設置には、非常に大きなスペースが必要となる。
【０００３】
こうした液処理プラントの建築面積（土地面積）を低減するために、複数階を有した建築建屋を建設し、この建築建屋に処理設備を分散して配置することが考えられる。この場合、複数の処理設備を、上下に並べることができるため、液処理プラントの建築面積を低減できる（例えば特許文献１等）。
【先行技術文献】
【特許文献】
【０００４】
【特許文献１】実開平３−１２８７９０号公報
【発明の概要】
【発明が解決しようとする課題】
【０００５】
ここで、一般に、液処理プラントには、処理設備の間を接続する輸液用の配管が設けられている。建築建屋は、通常、床面や天井面、外壁を備えているが、かかる建築建屋に処理設備を設けた場合、この配管を通すための通過用孔を、床面や天井面、外壁に設けるとともに、配管を、当該通過用孔まで延ばす必要があった。この場合、配管の設置構成が複雑になり、また、配管の総距離が延びることで、コストの増加や、重量の増加などを招いていた。また、通過用孔を設けた場合、当該通過用孔周辺の強度補強が必要となり、建築建屋の構成の複雑化も招いていた。
【０００６】
また、複数の処理設備を、複数階の建築建屋に設置する場合、土地面積を低減できる一方で、建築建屋の建設のために工期の増加やコストの増加という問題が生じる。すなわち、土地に定着する工作物のうち、屋根及び柱もしくは壁を有するものは、建築基準法における「建築物」に該当するため、その建設にあたって建築基準法に定められた許認可が必要であり、当該許認可を受けるための手続き期間が必要となる。また、建築建屋の場合、床面や天井面、外壁などが設けられるため、建設コストが高くなる。
【０００７】
そこで、本発明では、配管の設置の自由度が高いながらも、土地面積、建設の工期、コストを低減できる液処理プラント、および、液処理プラントの製造方法を提供することを目的とする。
【課題を解決するための手段】
【０００８】
本発明の液処理プラントは、被処理液に対して規定の処理を施すための複数の処理設備と、土台と、前記土台から鉛直方向に延びる複数の柱部材と、水平方向に延びる複数の梁部材と、で二階以上の階層を構成する架台と、を備え、前記複数の処理設備は、前記架台の複数の階層に、分散して配置され、前記架台の最上階は、屋根がない部分を有する、ことを特徴とする。なお、本願における架台は、上述した通り、土台を含んでいる。
【０００９】
好適な態様では、二階以上の階層に配される処理設備は、前記梁部材、または、前記梁部材に連結された板材に設置される。
【００１０】
他の好適な態様では、前記架台は、前記梁部材の上に設置される網材を備える。
【００１１】
他の好適な態様では、前記架台のうち、少なくとも２階以上の階層の外周は、柵で囲まれている。
【００１２】
他の好適な態様では、さらに、最上階に設けられ、物品を吊り上げるクレーンと、前記クレーンの移動をガイドするホイストレールと、を有するホイストクレーンと、各階層ごとに設けられ、前記クレーンとの間で物品を授受するためのスペースである吊り上げ場と、を備え、前記各階層ごとの吊り上げ場は、その水平位置が前記ホイストレールの方向に順番にズレている。
【００１３】
他の好適な態様では、さらに、前記架台の１階において、予め規定された防液エリアを取り囲むように設けられ、前記防液エリアの外部への液体の漏出を防止する防液堤と、前記架台の二階の梁部材の下側のうち前記防液エリアの外側となる位置に設けられ、上側から滴下した液体を一時貯留するドレンパンと、を備える。
【００１４】
他の本発明である液処理プラントの製造方法は、土台と、前記土台から鉛直方向に延びる複数の柱部材と、水平方向に延びる複数の梁部材と、で二階以上の階層を構成する架台を建設するステップと、被処理液に対して規定の処理を施すための複数の処理設備を、前記架台の各階層に分散して据え付けるステップと、を備え、前記架台の一つの階層を建設した後、当該一つの階層より上層の階層を建設する前に、当該一つの階層に対応する処理設備を据え付ける、ことを特徴とする。
【００１５】
好適な態様では、前記架台の複数の階層のうち、少なくとも一つの階層の階高は、当該一つの階層より上層階の階高よりも大きい。
【００１６】
他の好適な態様では、前記架台の１階を建設するステップは、予め規定された防液エリアを取り囲んで前記防液エリアの外部への液体の漏出を防止する防液堤の形成ステップを含み、前記処理設備のうち薬品に関する処理設備である薬品設備は、前記防液堤内に据え付ける。
【発明の効果】
【００１７】
本発明によれば、複数の処理設備を、土台と柱部材と梁部材で構成される二階以上の架台に設置しているため、配管の設置の自由度を高く保ちながらも、土地面積、建設の工期、コストを低減できる。また、他の本発明によれば、一つの階層を建設した後、当該一つの階層より上層の階層を建設する前に、当該一つの階層に対応する処理設備を据え付けているため、建設の工期をより短縮できる。
【図面の簡単な説明】
【００１８】
【図１】本発明の実施形態である液処理プラントの正面図である。
【図２】液処理プラントの斜視図である。
【図３】液処理プラントの一部拡大斜視図である。
【図４】ある階層の一部を上方から見た概略図である。
【図５】ある階層の一部を側方から見た概略図である。
【図６】ホイストクレーン周辺の斜視図である。
【発明を実施するための形態】
【００１９】
以下、本発明の実施形態について図面を参照して説明する。図１は、本発明の実施形態である液処理プラント１０の正面図である。また、図２は、液処理プラント１０の斜視図であり、図３は、液処理プラント１０の一部拡大斜視図である。
【００２０】
この液処理プラント１０は、産業排水を排水可能なレベルまで処理して浄化するための施設や、純水・超純水製造施設、回収施設等である。本実施形態の液処理プラント１０は、複数の処理設備１２と、当該処理設備１２が設置される架台１４と、を備えている。処理設備１２は、排水を処理するために用いられる装置や貯留設備であり、例えば、排水を貯留するための水槽や、処理のために排水に付加する各種薬品を貯留する薬品タンク、排水や薬品を濾過するためのフィルタユニット、各種液体を輸送するポンプ、排水を処理するための浄水を生成する浄水生成機等が含まれる。なお、本実施形態の液処理プラント１０は、複数系統の排水、例えば、半導体製造工程で生じる化学機械研磨排水（以下「ＣＭＰ系排水」という）や、フッ素を含んだフッ素排水（以下「Ｆ系排水」という）、半導体や液晶ディスプレイ等の製造工程で廃棄される有害ガスを除外するスクラバ装置から排出されるスクラバ排水（以下「除害系排水」という）等を受け入れることができる。各排水は、複数の工程、例えば、冷却、凝集、沈殿、還元、濾過等を経て処理され、出力される。そのため、液処理プラント１０は、各種排水ごとに、各種工程を実施するための処理設備１２を複数有している。
【００２１】
複数の処理設備１２は、液体を輸送するための配管１６が接続されている（図３、図５参照）。配管１６は、複数の処理設備１２間を接続し、後述する配管ラック１８に収容される。
【００２２】
こうした複数の処理設備１２や配管ラック１８は、架台１４に設置される。架台１４は、四つの階層を有した階層型となっている。架台１４は、土台１９と、土台１９から鉛直方向に延びる柱部材２０と、水平方向に延びる梁部材２２と、で二階以上の階層を構成する。その一方で、架台１４の最上階には、屋根は設けられておらず、途中の階層においても、壁面や床面、天井面を構成する面材は、設けられていない。かかる階層型架台１４に、処理設備１２を設置する理由について説明する。
【００２３】
既述した通り、本実施形態の処理設備１２は、複数系統の排水を処理するもので、複数の処理設備１２を有している。多量の排水を処理する場合、各処理設備１２は大型になりやすく、例えば、水槽やタンクの直径は、数メートルとなることが多い。こうした大型の処理設備１２を全て同一階層に設置しようとすると、広大な土地面積が必要となる。そこで、土地面積を低減するために、複数階層の建築建屋を建設し、当該建築建屋に複数の処理設備１２等を分散して設置することが考えられる。この場合、複数の処理設備１２を、上下に並べることができるため、必要となる土地面積を低減できる。
【００２４】
しかし、こうした建築建屋は、外壁や床面、天井面を有することが多い。かかる建築建屋に処理設備１２を設置した場合、配管１６を通すための通過用孔を、床面や天井面、外壁に設けるとともに、配管１６を、当該通過用孔まで延ばす必要があった。この場合、配管１６の設置構成が複雑になり、また、配管１６の総距離が延びることで、コストの増加や、重量の増加などを招いていた。また、通過用孔を設けた場合、当該通過用孔周辺の強度補強が必要となり、建築建屋の構成の複雑化も招いていた。
【００２５】
さらに、複数の処理設備１２を、複数階の建築建屋に設置する場合、建築建屋の建設のために工期の増加やコストの増加という問題が生じる。すなわち、建築基準法では、「土地に定着する工作物のうち、屋根、および、柱もしくは壁を有するもの」を「建築物」と定めている。かかる建築物の建設にあたって、建築基準法で定める各種許認可、例えば、建築確認申請等が必要となるため、これら許認可を受けるための手続き期間や手間が必要となる。また、建築建屋の場合、床面や天井面、外壁などが設けられるため、建築コストも高くなる。
【００２６】
そこで、本実施形態では、複数の処理設備１２を、屋根等を有した建築物ではなく、柱部材２０および梁部材２２を組み合わせて構成される架台１４に配置した。架台１４は、既述した通り、土台１９と、柱部材２０と、梁部材２２と、で構成されており、屋根や、壁面や床面、天井面を構成する面材は、有していない。そのため、配管１６を比較的自由に設置することができる。特に、異なる階層に配置された二つの処理設備１２を配管１６で接続する際、床面や天井面を避ける必要が無いため、配管１６の距離を比較的短くすることができる。
【００２７】
また、架台１４は、屋根を有していないため、建築のための建築確認申請等が不要となり、建築確認を受けるための手続き期間や手間を削減できる。結果として、液処理プラント１０の建設工期およびコストを低減できる。なお、階層構造とした場合、架台１４全体の高さが大きくなる。本実施形態のように四階層構造とした場合、架台１４の全高は、数十メートルにも及ぶ。この場合、落雷の可能性も高まることから、本実施形態では、架台１４に避雷針を設けている。
【００２８】
次に、この架台１４の構成について詳説する。繰り返し述べるように、架台１４は、土台１９と柱部材２０と梁部材２２とで構成される。土台１９は、架台１４の１階を構成する。この土台１９は、地面表層に鉄筋コンクリートを敷設する等して、形成される。また、地盤の状況により、必要に応じて、地中に杭を打ち込んで杭基礎を形成した後に土台を設置することもできる。この土台１９部分が、架台１４の１階となる。
【００２９】
架台１４の２階以上は、柱部材２０および梁部材２２で構成される。図４は、ある階層の一部を上方から見た概略図であり、図５は、ある階層の一部を側方から見た概略図である。本実施形態において、柱部材２０および梁部材２２は、十分な強度を有した鉄骨部材であり、その表面は、メッキ仕上げされている。このように予めメッキ仕上げされた鉄骨を用いることで、建設現場での塗装作業が不要となり、建設工期をより短縮できる。また、メッキ仕上げの鉄骨を用いることで、塗装する場合に比べて、メンテナンスの手間を低減できる。ただし、十分な強度、耐久性を確保できるのなら、柱部材２０および梁部材２２として、メッキ仕上げの鉄骨以外の部材、例えば、非メッキの鉄骨や、鋼管等を用いてもよい。
【００３０】
図４に示すように、柱部材２０は、土台１９から鉛直方向に延びており、水平方向に一定の間隔を開けて、配設されている。梁部材２２は、この柱部材２０の間に掛け渡される大梁部材２２ａと、大梁部材２２ａと大梁部材２２ａとの間に掛け渡される小梁部材２２ｂと、に大別される。これら柱部材２０および梁部材２２は、溶接や係合、螺合等の手段により強固に連結される。比較的大型で、重量のある処理設備１２、例えば、多量の液体を貯留するタンクや水槽等は、この梁部材２２または土台１９に直接設置される。図４は、四つの小梁部材２２ｂに、液体タンク１２ａを直接設置した場合を示している。なお、樹脂製タンクのように重量があるものの剛性に乏しいタンクは、梁部材２２に直接設置すると、当該梁部材２２との接触箇所に集中して荷重がかかり、樹脂製タンクの底面が破損するおそれがある。そこで、樹脂製タンクは、その底面に予め補強用の平板を取り付けたうえで、梁部材２２に設置する。
【００３１】
比較的軽量の処理設備１２ｂは、ゲージプレート２３を介して梁部材２２に設置される。ゲージプレート２３は、梁部材２２の上に設置され、所定の間隔で締結用孔が形成された板材である。軽量の処理設備１２ｂは、予め、このゲージプレート２３に位置決めした状態で締結されている。この軽量処理設備１２ｂが締結されたゲージプレート２３を、梁部材２２に位置決めして締結することで、現場での施工誤差による処理設備１２ｂの位置ズレを防止できる。
【００３２】
以上の通り、本実施形態では、処理設備１２は、基本的に土台１９、または、梁部材２２に直接または間接的に支持されているため、処理設備１２を保持するための床材は不要となる。ただし、液処理プラント１０を適切に稼働させるためには、適切なメンテナンスが必要であり、作業者が、各種処理設備１２の近傍に近づけることが必要である。そこで、本実施形態では、梁部材２２の上側に、網材２６を設置し、作業者が歩行できるようにしている。網材２６は、作業者の重量を支える程度の強度と、雨滴を下層に通過可能なメッシュ構造を有していれば特に限定されない。したがって、網材２６としては、例えば、鋼板等の金属板を冷間切延して形成されるエキスパンドメタルやグレーチングと呼ばれる部材を用いることができる。かかる網材２６は、図５に示すように、梁部材２２の上に直接、または、何らかの金具２８を介して設置される。なお、エキスパンドメタル等の網材２６は、面材ではなく、「屋根」に該当しないため、当該網材２６を設けたとしても、架台１４は、建築確認申請等が必要な建築物／工作物に該当しない。また、図２、図３では、網材２６のメッシュ構造の図示を省略しているため、面材が配されているように見えるが、実際には、各階層の床レベルには、網材２６が配されている。なお、当然ながら、処理設備１２の接地箇所や、配管１６の経路箇所には、この網材２６は、配置しない。
【００３３】
また、架台１４には、外壁は、設けられていないが、架台１４の２階以上の階層の外周は、柵４９（図１〜図３参照）で囲まれている。柵４９の形態は、特に限定されないが、本実施形態では、金属製の線材を格子状に配した柵を用いている。かかる柵４９を設けることで、外壁を設けることなく、作業者の安全性を確保できる。なお、本実施形態では、１階には柵４９を設けていないが、動物や不審者の侵入防止のため、１階の外周も柵４９で囲んでもよい。
【００３４】
ところで、既述した通り、配管１６は、配管ラック１８と呼ばれるラック部材に収容される。本実施形態では、ある階層に配置される配管ラック１８を、上層階を構成する梁部材２２から吊り下げた構成としている。すなわち、図５に示すように、梁部材２２の下端、および、配管ラック１８の上端から締結板２４を突出形成し、この締結板２４に形成された締結孔２４ａを利用して、両締結板２４をボルト締結する。これにより、配管ラック１８が梁部材２２から吊り下げた状態で保持される。このように配管ラック１８を吊り下げ構造とすることで、配管ラック１８を構成する鋼材をより低減できる。すなわち、従来、配管ラック１８は、床面から立脚させることが多かった。しかし、配管ラック１８を立脚させるためには、床面から強固に立脚する鋼材からなる柱を設ける必要があるため、従来の構成では、鋼材の使用量が多かった。一方、本実施形態では、配管ラック１８を上層階の梁部材２２から吊り下げているため、配管ラック１８を支えるための柱（鋼材）が不要となり、液処理プラント１０全体で使用する鋼材量を低減、ひいては、コストを低減できる。
【００３５】
また、繰り返し述べているように、架台１４は、複数階層を有しており、複数の処理設備１２は、上下に並んで配置される。このとき、同系統の排水を処理するための処理設備１２は、その水平方向位置が極力近くなるように配することが望ましい。例えば、ＣＭＰ系排水を処理するための冷却タンクを、架台１４の四階の正面向かって右側に配した場合、ＣＭＰ系排水を処理するために必要となる他の処理設備１２（例えば、ＣＭＰ系排水の沈殿槽や還元槽等）は、架台１４の三階や二階の正面向かって右側に配することが望ましい。このように、設置される階層が異なっていても、水平方向位置を近くすれば、各処理設備１２を接続する配管１６の距離を短くすることができる。
【００３６】
また、複数の処理設備１２のうち、水処理の下流工程で使用される処理設備１２は、上流工程で使用される処理設備１２（以下「上流ユニット」と呼ぶ）よりも下層階に配されることが望ましい。かかる構成とすれば、上流ユニットから下流ユニットへの輸液を、重力により行うことができるため、輸液のためのポンプ等を削減でき、建設コストや、稼働電力、ひいては、ランニングコストを低減できる。
【００３７】
また、複数の処理設備１２のうち、大重量の処理設備１２は、極力、下層階に、軽量の処理設備１２は、上層階に設置することが望ましい。かかる構成とすることで、架台１４全体で求められる強度を低減することができ、架台１４を構成する鉄骨量を低減できる。
【００３８】
また、架台１４の複数の階層のうち、一つの層階の階高を、当該一つの階層より上層階の階高よりも大きくするとともに、複数の処理設備１２のうち、高さのある処理設備１２は、極力、下層階に設置することが望ましい。本実施形態では、一階の階高を、二階の階高よりも、また、二階の階高を三階の階高よりも大きくしている。そして、高さのある処理設備１２は、一階、または、二階に設置するようにしている。このように、背の高い処理設備１２を下層階に集中的に設置することで、上層階の階高を小さく抑えることができ、架台１４全体の高さ、ひいては、使用する鉄骨量をより低減できる。また、高さのある処理設備１２は、大重量であることも多い。かかる大重量で高さのある処理設備１２を下層階に配することで、架台１４全体で求められる強度を低減することができ、架台１４を構成する鉄骨量をより低減できる。
【００３９】
また、複数の処理設備１２のうち薬品を貯留する薬品タンク等の薬品設備は、一階に配置することが望ましい。これは、一階には、漏液防止、飛散防止を考慮して防液堤３０（図２参照）が配されているからである。なお、この防液堤３０については、後に詳説する。
【００４０】
処理設備１２の中には、他の処理設備１２に比べて大幅に高いものもある。例えば、消石灰を貯蔵・供給する消石灰サイロ１２ｃは、他の処理設備１２に比べて大幅に高い。このように突出して背が高い処理設備１２に合わせて各階層の階高を設定すると無駄が多くなるため、本実施形態では、消石灰サイロ１２ｃの設置箇所のみ、上層階層（二階）の梁部材２２を無くした吹き抜け構造としている。
【００４１】
また、周辺に設置される処理設備１２に比べて、低い処理設備１２を配置する場合には、当該配置箇所にスキップフロアＳＦを設けてもよい。スキップフロアＳＦは、一つの階層と、次の階層との間に設けられた段差部分である。本実施形態では、正面向かって左端において、一階と二階との間にスキップフロアＳＦを設け、当該部分だけ、一つの階層内で処理設備１２を上下に並べている。また、本実施形態では、一つ階層の床レベルを、場所によって異ならせている。具体的には、図１に示すように、正面向かって右側における二階および三階の床レベルを、正面向かって中央および左側における二階および三階の床レベルより低くしている。このように設置される処理設備１２の高さ等に応じて、床レベルを部分的に替えることで、複数の処理設備１２をより省スペースで設置することができ、架台１４の低背化、ひいては、使用する鉄骨量を低減できる。
【００４２】
本実施形態の液処理プラント１０は、各階層への物品の搬入出のために、ホイストクレーン４０を備えている（図１、図２参照）。ホイストクレーン４０は、昇降可能なクレーン（図示せず）と、当該クレーンの水平方向への移動をガイドするホイストレール４０ｒと、を備えている。本実施形態では、このホイストクレーン４０を、最上階（四階）の端部、具体的には、正面向かって左端に設置している。図６は、このホイストクレーン４０周辺の斜視図である。ただし、図６では、クレーンの図示は省略している。
【００４３】
図６に示すように、本実施形態では、ホイストレール４０ｒは、奥行き方向（図１の紙面垂直方向）に延びており、各階層の端部より外側に張り出すように設置されている。また、スキップフロアＳＦおよび二階〜四階の端部からは、クレーンとの間で物品を授受するための吊り上げ場４２＿ｓｆ，４２＿２〜４２＿４（以下、階層を区別しない場合は、単に「吊り上げ場４２」という）が外側に突出している。また、一階の端部からは構造物は突出していないものの、一階の正面向かって左端手前側は、当該一階の吊り上げ場４２＿１となる。各階層の吊り上げ場４２は、その水平位置がホイストレール４０ｒの方向に順番にズレている。すなわち、四階の吊り上げ場４２＿４は、正面向かって奥側に設置されており、三階の吊り上げ場４２＿３は、四階の吊り上げ場４２＿４よりも僅かに手前側に、二階の吊り上げ場４２＿２は、三階の吊り上げ場４２＿３よりも僅かに手前側に、スキップフロアＳＦの吊り上げ場４２＿ｓｆは、二階の吊り上げ場４２＿２よりも僅かに手前側に設けられており、一階の吊り上げ場４２＿１は、最も手前側に設けられている。かかる構成とした場合、最も手前位置であれば、クレーンを一階から四階まで自由に昇降させることができる。また、クレーンを所望の階層まで持ち上げた後、クレーンをホイストレール４０ｒに沿って水平移動させることで、所望の階層の吊り上げ場４２まで、クレーンを移動させることができる。つまり、本実施形態の構成によれば、一つのホイストクレーン４０を全ての階層で使用することができる。
【００４４】
ホイストレール４０ｒの反対側端部（正面向かって左側端部）には、作業者が昇降するための階段５０が設けられている。本実施形態では、この階段５０を、取り外し可能としている。すなわち、階段５０は、架台１４とは別体の独立構造体として構成し、当該階段５０を、架台１４にボルトで締結している。このように階段５０を架台１４に対して着脱自在とするのは、架台１４の増設を可能にするためである。すなわち、将来的に、処理設備１２、ひいては、処理設備１２を設置する架台１４の更なる増設が求められる可能性がある。このとき、架台１４の端部に設けられた階段５０を取り外せば、当該階段５０の位置に、架台１４を延長増設したり、延長増設に必要な資材を搬入したりできる。
【００４５】
また、本実施形態では、架台１４の一部を、将来のプラント構成変更に対応できる余剰スペース５２としている。具体的には、四階の正面向かって左側部分を余剰スペース５２としている（図２参照）。この余剰スペース５２では、梁部材２２として、大梁部材２２ａのみを設けており、小梁部材２２ｂは、プラントの構成変更時に、適宜、追加できる構成としている。
【００４６】
架台１４の一階（土台１９）には、薬液の漏液・飛散を防止するための防液堤３０が設けられている（図２参照）。この防液堤３０は、一階の大部分を囲むように立脚している。ただし、一階の一部、具体的には、正面向かって右端は、各種物品を搬入出するための車両が進入する車両進入部５４となっている。この車両進入部５４まで防液堤３０で取り囲むと、車両の進入が阻害されるため、防液堤３０は、車両進入部５４を除いた所定のエリア（以下「防液エリア」という）のみを取り囲んでいる。
【００４７】
繰り返し述べたように、架台１４には、屋根や床面、天井面を構成する面材が設けられていないため、上層階の処理設備１２から漏出した液体や、雨水等は、網材２６の隙間を通過して一階まで流れ込む。防液エリア内の地中には、雨水が流れる雨水流路が複数、形成されており、一階の防液エリア内に流れ込んだ雨水は、当該雨水流路に集められる。雨水流路の入口には、水質を感知するセンサが設けられており、廃棄できない液体、例えば、薬液などが流れてきた場合には、雨水流路の入口を閉鎖し、薬液等の外部への漏えいを防止する。
【００４８】
車両進入部５４の上側には、薬液等の外部漏出を防止するために、ドレンパン５６が設けられている。すなわち、防液エリアの外側である車両進入部５４は、防液堤３０で囲まれていない。そのため、車両進入部５４の上側にドレンパン５６を設けないと、当該車両進入部５４の上側で漏出した薬液が、外部に漏れるおそれがある。そこで、本実施形態では、二階の梁部材２２の下側のうち車両進入部５４の真上となる位置（防液エリアの外側となる位置）に、上側から滴下した液体を一時貯留するドレンパン５６を設けている。ドレンパン５６は、一時貯留された液体は、防液エリア内、あるいは、専用の放出箇所に放出され、その水質に応じて処理される。
【００４９】
次に、以上のような液処理プラント１０を建設する流れについて簡単に説明する。これまで説明した通り、架台１４は、建築確認申請が必要な建築物／工作物には該当しないため、建築確認申請などの許認可を受けることなく、建設を開始することができる。本実施形態では、架台１４の組立と、設置物（処理設備１２や配管１６、配管ラック１８等）の据え付けと、を下層から交互に行う。すなわち、一つの階層（架台１４）が完成すれば、当該階層に据え付ける処理設備１２や配管１６、配管ラック１８等を搬入し、据え付けをする。そして、その階層の設置物の据え付けが完了すれば、次の階層を構成する鉄骨を搬入し、組み立てて、次の階層を建設する。
【００５０】
より具体的に説明する。液処理プラント１０を建設する場合には、まず、土台１９（１階）を建設する。土台１９は、地中にＰＨＣ杭（高強度プレストレストコンクリート杭）を打ち込んで杭基礎を形成した後、地面表層に鉄筋コンクリートを敷設して建設される。このとき、本実施形態では、ＰＨＣ杭として、杭の周面に節が形成された節杭を使用している。かかる節杭を設けることで、地中と杭との間の摩擦力が増加し、杭本数が比較的少なくても、架台１４を確実に支えることができる。
【００５１】
土台１９（１階）が建設できれば、当該土台１９（１階）に、対応する処理設備１２等の設置物を搬入し、据え付ける。その後、１階において立脚する柱部材２０の建設、２階を構成する梁部材２２の建設を行う。そして、架台１４の２階まで建設（組立）ができれば、当該２階に対応する処理設備１２等の設置物を、２階に搬入し、据え付ける。同様の手順を、４階まで繰り返し行う。このように、架台１４の組立と、設置物の据え付けと、を下層から交互に行うことで、架台１４全体を完成させてから設置物を据え付ける場合に比べて、建設工期を短縮することができる。
【００５２】
また、既述した通り、本実施形態では、架台１４を構成する柱部材２０および梁部材２２として、予めメッキ処理された鉄骨を用いている。そのため、建設現場で、鉄骨を塗装する必要が無く、建設現場での足場や塗装作業を省略できる。結果として、建設工期をより短縮することができる。また、足場が不要であるため、比較的、狭いスペースでの建設も可能となる。
【００５３】
なお、これまで説明した構成は、いずれも、一例であり、複数の処理設備１２が、土台１９と柱部材２０と梁部材２２で構成される二階以上の架台１４に設置されるのであれば、その他の構成は、適宜、変更されてもよい。例えば、本実施形態では、外壁を完全になくしているが、防音等のために、部分的に外壁を設ける等してもよい。また、処理設備１２や配管ラック１８の組み付け態様も適宜変更されてもよい。また、階段やホイストクレーン４０、防液堤３０等の構成も適宜、変更されてもよく、場合によっては、省略されてもよい。また、本実施形態では、産業排水を処理する液処理プラントを例に挙げて説明したが、本実施形態の技術は、他の液処理プラント、例えば、都市下水を処理する下液処理プラントや、飲料用水を生成するための上液処理プラント等に適用されてもよい。また、処理対象の液体は、水に限らず、他の液体、例えば、薬液等でもよい。
【符号の説明】
【００５４】
１０  液処理プラント、１２  処理設備、１４  架台、１６  配管、１８  配管ラック、１９  土台、２０  柱部材、２２  梁部材、２３  ゲージプレート、２４  締結板、２６  網材、２８  金具、３０  防液堤、４０  ホイストクレーン、４２  吊り上げ場、４９  柵、５０  階段、５２  余剰スペース、５４  車両進入部、５６  ドレンパン、ＳＦ  スキップフロア。
【図１】
2018044347.tif 000003
【図２】
2018044347.tif 000004
【図３】
2018044347.tif 000005
【図４】
2018044347.tif 000006
【図５】
2018044347.tif 000007
【図６】
2018044347.tif 000008